(57)【特許請求の範囲】
【請求項１】
洗浄室に被洗浄物を収納し、洗浄処理部の作動による洗浄処理で前記洗浄室内の前記被洗浄物に水を噴射し前記被洗浄物を洗浄する洗浄機であって、
前記洗浄処理部に含まれ、前記被洗浄物に噴射する水を送出する洗浄ポンプと、
前記洗浄室を開閉する扉と、
前記扉の開閉状態を検知する扉開閉検知手段と、
前記扉開閉検知手段で検知された開閉状態に基づいて、前記洗浄処理部に含まれる各部品の動作状態を制御する制御部と、
前記制御部の制御モードを、前記洗浄処理を通常どおり行う通常モードと前記洗浄処理部の検査に用いる検査モードとの間で切り替える制御モード切替手段と、を備え、
前記制御部は、
前記制御モードが前記検査モード時において開始操作を受け付けると、前記制御モードが前記通常モード時において開始操作を受け付けたときと同様の一連の前記洗浄処理を開始させ、前記扉開閉検知手段が前記扉の開状態を検知したときには、前記洗浄ポンプを停止状態にすると共に、前記洗浄処理部に含まれる前記洗浄ポンプ以外の部品には、前記通常モード時において前記扉の開状態が検知されない場合と同じ動作を継続させ、前記扉開閉検知手段が前記扉の開状態を検知しないときには、前記通常モードと同じ一連の前記洗浄処理が行われる、
ことを特徴とする洗浄機。
【請求項２】
前記洗浄ポンプで送出される水が貯留される洗浄タンクと、
前記洗浄タンクの水位を検知する水位検知スイッチと、を備え、
前記洗浄ポンプ以外の部品には、
前記洗浄タンクに外部からの水を供給するウォーターバルブが含まれることを特徴とする請求項１に記載の洗浄機。
【発明の詳細な説明】
【技術分野】
【０００１】
本発明は、洗浄機に関するものである。
【背景技術】
【０００２】
従来、下記特許文献１に記載の食器洗浄機のように、所定の特殊操作により食器洗浄機を検査モードで動作させることが知られている。この食器洗浄機の検査モードでは、所定のスイッチが押されると、給水弁を閉鎖させた後、洗浄ポンプを動作させる。その後更に所定のスイッチが押されると、洗浄ポンプを停止した後、排水ポンプを動作させる。このように、メンテナンス作業者がスイッチを押すごとに、順次各部品を動作させることができる。
【先行技術文献】
【特許文献】
【０００３】
【特許文献１】特開２９７５８３５号公報
【発明の概要】
【発明が解決しようとする課題】
【０００４】
しかしながら、洗浄機のメンテナンス作業においては、一連の洗浄処理における各部品の動作を、扉を開けて確認したい場合もある。ところが、通常の洗浄機においては、扉を開けた状態では、各部品が停止してしまい動作を確認することができない。特許文献１のように、部品ごとに動作を確認するのでは、十分に有益な点検が出来ない可能性もあり、メンテナンス性が十分ではない。そこで、本発明は、メンテナンス性を向上させる洗浄機を提供することを目的とする。
【課題を解決するための手段】
【０００５】
本発明の洗浄機は、洗浄室に被洗浄物を収納し、洗浄処理部の作動による洗浄処理で洗浄室内の被洗浄物に水を噴射し被洗浄物を洗浄する洗浄機であって、洗浄処理部に含まれ、被洗浄物に噴射する水を送出する洗浄ポンプと、洗浄室を開閉する扉と、扉の開閉状態を検知する扉開閉検知手段と、扉開閉検知手段で検知された開閉状態に基づいて、洗浄処理部に含まれる各部品の動作状態を制御する制御部と、制御部の制御モードを、洗浄処理を通常どおり行う通常モードと洗浄処理部の検査に用いる検査モードとの間で切り替える制御モード切替手段と、を備え、制御部は、制御モードが検査モード時において開始操作を受け付けると、制御モードが通常モード時において開始操作を受け付けたときと同様の一連の洗浄処理を開始させ、扉開閉検知手段が扉の開状態を検知したときには、洗浄ポンプを停止状態にすると共に、洗浄処理部に含まれる洗浄ポンプ以外の部品には、通常モード時において扉の開状態が検知されない場合と同じ動作を継続させ、扉開閉検知手段が扉の開状態を検知しないときには、通常モードと同じ一連の洗浄処理が行われることを特徴とする。
【０００６】
この洗浄機では、制御部による制御モードが、通常モードと検査モードとの間で切り替わる。通常モードでは、洗浄処理が通常どおり行われる。一方、検査モードでは、洗浄処理中に扉が開かれた場合には、洗浄ポンプが停止状態となり、洗浄処理部に含まれる洗浄ポンプ以外の部品は、通常モード時において扉の開状態が検知されない場合と同じ動作を継続する。従って、メンテナンス時には、検査モードで制御することで、洗浄ポンプ以外の部品の動作を、扉を開いて確認することができる。このとき、洗浄ポンプは停止状態となるので、扉の外に噴射水が飛び散ることも避けられる。
【０００７】
また、本発明の洗浄機は、洗浄ポンプで送出される水が貯留される洗浄タンクと、洗浄タンクの水位を検知する水位検知スイッチと、を備え、洗浄ポンプ以外の部品には、洗浄タンクに外部からの水を供給するウォーターバルブが含まれることとしてもよい。
【０００８】
この場合、検査モードにおいては、扉を開いた場合にも、ウォーターバルブの動作状態が継続され、洗浄タンクへの水の供給が維持されて、洗浄タンクの水位が上昇する。従って、この水位の上昇に水位検知スイッチが反応するか否かを、扉を開けて確認することができ、水位検知スイッチの正常・異常を知ることができる。
【発明の効果】
【０００９】
本発明によれば、メンテナンス性を向上させる洗浄機を提供することができる。
【図面の簡単な説明】
【００１０】
【図１】本発明の洗浄機の一実施形態である食器洗浄機を示す正面側から見た斜視図である。
【図２】図１の食器洗浄機を背面側から見た斜視図である。
【図３】図１の食器洗浄機を側方から見た断面図である。
【図４】図１の食器洗浄機のドアスイッチを示す斜視図である。
【図５】図１の食器洗浄機の制御装置等を示すブロック図である。
【図６】図１の食器洗浄機の洗浄処理部等を示す模式図である。
【図７】図１の食器洗浄機の洗浄処理部の動作を示すタイミングチャートである。
【図８】図１の食器洗浄機の呼び水制御を示すフローチャートである。
【発明を実施するための形態】
【００１１】
以下、図面を参照しつつ本発明に係る洗浄機の好適な実施形態について詳細に説明する。
【００１２】
図１〜図４に示すように、食器洗浄機１の洗浄機本体２内には、洗浄室Ｓが形成されている。洗浄機本体２の正面側には、洗浄室Ｓの開閉を行うためのドア３が設けられている。ドア３の下縁を軸としてドア３の上側が手前側に回転することで、洗浄室Ｓの開閉が行われる。洗浄機本体２の上面側には、ドアの開閉状態を検知するドアスイッチ（扉開閉検知手段）４が内蔵されている。更に、正面側のドア３の下方には、ユーザの各操作を受け付けるオペレーションボード４１が設けられている。
【００１３】
上述した洗浄室Ｓ内には、ラックレール（図示せず）が着脱自在に配置されており、このラックレール上に、飲食後の食器類（被洗浄物）が並べられた格子状の食器ラック（図示せず）が載置される。更に、洗浄室Ｓ内には上下１対の上側噴射ノズル５及び下側噴射ノズル７が配置され、水平回転自在に配置されている。
【００１４】
洗浄室Ｓの底部には、下側噴射ノズル７の下方に洗浄タンク９が設けられている。洗浄タンク９は、洗浄室Ｓ内で循環する洗浄水を一時的に貯留する。洗浄タンク９内には、洗浄水の温度を検知する洗浄タンクサーミスタ（水温センサ）１１が設けられている。
【００１５】
洗浄室Ｓの下方から洗浄室Ｓの背面側にかけて、機械室Ｄが形成されている。機械室Ｄにおいて、洗浄タンク９の下方には洗浄タンク９の水を加圧し送出する洗浄ポンプ１３が設けられている。洗浄ポンプ１３の吐出口は、下側噴射ノズル７と洗浄水流通管１５とに接続されており、この洗浄水流通管１５は上側噴射ノズル５に接続されている。また、洗浄タンク９の下方には、洗浄タンク９の排水を行う排水ポンプ１４も設けられている。
【００１６】
更に、機械室Ｄには、洗浄タンク９の水位を検知するフロートスイッチ（水位検知スイッチ）１７や、洗浄室Ｓに洗剤を供給する洗剤供給装置１９等が収納されている。フロートスイッチ１７は、パイプ１７ａを介して洗浄タンク９の前面側下部と連通することで、洗浄タンク９の満水状態を検出することができる。また、機械室Ｄには、外部から温水を供給する温水パイプ２１及び外部から冷水を供給する冷水パイプ２３が通過している。温水パイプ２１の上端は機械室Ｄ内の上部に収容された温水ウォーターバルブ２７に接続されている。同様に、冷水パイプ２３の上端は機械室Ｄ内に収容された冷水ウォーターバルブ２９に接続されている。温水ウォーターバルブ２７及び冷水ウォーターバルブ２９は電磁弁である。温水ウォーターバルブ２７及び冷水ウォーターバルブ２９の下流側のパイプは、合流して洗浄室Ｓ内に温水又は冷水を送り込むようになっており、この温水又は冷水は洗浄室Ｓの奥側の壁の上部に設けられた放水口３１から下方に向けて放出される。
【００１７】
また、機械室Ｄ内には、食器洗浄機１の動作全般を制御する制御装置３５が収納されたコントロールボックス等も収容されている。制御装置３５は、図５に示すように、マイコン（制御部）３７、マイコン３７に接続された洗浄ポンプ用リレーＸ１、排水ポンプ用リレーＸ２、冷水ウォーターバルブ用リレーＸ３、温水ウォーターバルブ用リレーＸ４、洗剤供給装置用リレーＸ５等を含んでいる。マイコン３７は、これらのリレーを介して、洗浄ポンプ１３、排水ポンプ１４、温水ウォーターバルブ２７、冷水ウォーターバルブ２９、洗剤供給装置１９等を制御する。また、マイコン３７には、洗浄タンクサーミスタ１１、ドアスイッチ４、フロートスイッチ１７、オペレーションボード４１が接続されており、これら各部からの信号を取得する。
【００１８】
食器洗浄機１は、洗浄処理を通常どおり行う通常モードの他に、メンテナンス時などに、洗浄処理部の検査を行うための検査モードで動作させることが可能である。通常モードから検査モードへの切り替えは、オペレーションボード４１の操作によって行われ、通常ではユーザが行わないと考えられる特殊なキー操作が必要とされる。例えばここでは、ＵＰスイッチＢ１を押しながら運転スイッチＢ２で電源を投入した場合に、検査モードで動作するようにする。このように、オペレーションボード４１は、制御モード切替手段として機能する。なお、運転スイッチＢ２を切ったとき、又は元電源を切った時に、検査モードが解除される。上記のように特殊なキー操作を設定することにより、一般ユーザの操作で誤って検査モードになってしまうことが避けられ一般ユーザの安全が確保される。
【００１９】
まず、食器洗浄機１における通常モード時の洗浄処理について、図６の模式図を参照しながら説明する。まず、ユーザは、運転スイッチをＯＮとした後、オペレーションボード４１を操作して、洗浄コースを選択し、ドア３を閉めた状態で開始操作を行う。
【００２０】
上記開始操作がなされると、温水ウォーターバルブ２７が開かれ、洗浄タンク９が満水になるまで外部給湯器からの温水が供給される。洗浄タンク９の満水状態は、フロートスイッチ１７によって検出することができる。このとき、外部給湯器からの温水の温度が高すぎる場合には、冷水ウォーターバルブ２９を開いて冷水を供給し水温を下げる場合もある。洗浄タンク９が満水になったところで、温水ウォーターバルブ２７が閉じ、給水が停止する。その後、洗剤供給装置１９により洗浄タンク９に洗剤が供給され、洗浄ポンプ１３が始動する。
【００２１】
洗浄ポンプ１３の駆動により、洗浄タンク９内に貯留されていた洗浄水は、上下の噴射ノズル５，７に圧送され、噴射ノズル５，７から食器類に向けて噴射される。このとき、各噴射ノズル５，７は洗浄水の噴射反力によって回転するため、洗浄水が食器類に満遍なく当てられて、食器類の汚れが効率良く洗い落とされる。この食器類に噴射された洗浄水は、フィルタ等を介して洗浄タンク９内に回収され、洗浄ポンプ１３により循環供給される。また、洗浄タンク９からオーバーフローする水は、適宜排出口４３から排出される。
【００２２】
上記のような洗浄行程が所定時間行われた後、濯ぎ行程に移る。濯ぎ行程が所定時間行われると、洗浄ポンプ１３が停止し、洗浄タンク９内に残った水を排水ポンプ１４で排水し、食器洗浄機１の１サイクルの動作が完了する。なお、上記の洗浄タンク９内に残った水は、そのまま残して次回の食器類の洗浄における洗浄水として再利用してもよい。洗浄タンク９内の水を排水するか次回再利用するは、ユーザが選択した洗浄コースによって決定される。その後、ユーザの操作がない場合には、オートＯＦＦタイマーにより運転スイッチをＯＦＦとし、自動停止する。
【００２３】
以下、洗浄処理を行うべく作動する各部品をまとめて「洗浄処理部５０」と称するものとする。洗浄処理部５０は、上述の洗浄ポンプ１３、温水ウォーターバルブ２７、冷水ウォーターバルブ２９、及び排水ポンプ１４を含んでいる。上述の通常モードにおいては、洗浄処理中にドア３が開かれたときに、マイコン３７は、排水ポンプ１４を除く洗浄処理部５０の各部品をすべて停止状態とする。すなわち、図７（ａ）に例示するように、ドアスイッチ４からの信号がＯＦＦになったとき（ドア３の開状態が検知されたとき）には、これに対応して、温水ウォーターバルブ２７と、冷水ウォーターバルブ２９と、洗浄ポンプ１３と、がＯＦＦ状態とされる（チャートのＵ部分を参照）。なお、排水ポンプ１４は、ドア３の開閉の影響を受けない。この処理により、ドア３の外に温水等が飛び散るといった万一の事態が防止され、ユーザに温水が掛かる等の万一の危険を防止することができる。その後、ドア３が閉じられた時に、洗浄処理部５０の各部品をＯＮ状態とし、洗浄が再開される。
【００２４】
一方、メンテナンス時においては、一連の洗浄処理における洗浄処理部５０の動作を、ドア３を開けた状態で確認できれば、有益な点検が可能になる。そこで、この食器洗浄機１の検査モードにおいては、洗浄処理中にドアスイッチ４からの信号がＯＦＦになったとき（ドア３の開状態が検知されたとき）であっても、洗浄ポンプ１３のみを停止状態とする。そして、洗浄処理部５０に含まれる洗浄ポンプ１３以外の部品には、通常モード時でドア３の開状態が検知されない場合と同じ動作を継続させることとしている。なお、検査モードでは、ドア３の開状態が検知されない場合においては、通常モードと同じ洗浄処理を行う。
【００２５】
要するに、検査モードにおいては、洗浄処理中にドア３が開かれたとしても、洗浄ポンプ１３が停止するのみであり、その他の各部品はドア３の影響を受けずに動作を継続する。例えば、図７（ｂ）に例示するように、ドア３が開いた場合、これに対応して洗浄ポンプ１３は停止状態となるが（チャートのＳ部分を参照）、温水ウォーターバルブ２７及び冷水ウォーターバルブ２９は、ドア３の開状態とは無関係に動作を継続する（チャートのＴ部分を参照）。
【００２６】
この検査モードによれば、メンテナンス時には、温水ウォーターバルブ２７、冷水ウォーターバルブ２９、及び排水ポンプ１４の動作を、扉を開いて確認することができる。このとき、洗浄ポンプ１３は停止状態となるので、扉の外に水が飛び散ることも避けられる。なお、温水ウォーターバルブ２７等が動作する以上、僅かに水が飛び散ることも考えられるが、洗浄ポンプ１３が動作する場合と比較すれば、危険性は低い。また、メンテナンス作業者は、検査モードを理解し認識した上でこれを実行するので危険性は更に低い。
【００２７】
また、フロートスイッチ１７は、水に含まれるカルキ分の影響で動作不良が発生する場合があるので、動作確認の必要性が高い。しかし、従来の動作確認では、機械室Ｄの背面パネルを開けて背面側からフロートスイッチ１７を観察する必要があり、利便性が良くなかった。これに対し、上記検査モードによれば、ドア３を開けても温水ウォーターバルブ２７及び冷水ウォーターバルブ２９の動作が継続され、洗浄タンク９への水の供給が維持されるので、洗浄タンク９の水位が上昇する。従って、この水位の上昇にフロートスイッチ１７が反応しているか否かを、ドアを開けて確認することができ、フロートスイッチ１７の正常・異常を知ることができる。
【００２８】
具体的には、フロートスイッチ１７が正常であれば、洗浄タンク９が満水になった時点で温水ウォーターバルブ２７（又は冷水ウォーターバルブ２９）による給水が停止するが、フロートスイッチ１７が異常であれば、洗浄タンク９が満水になっても給水が停止しない。よって、フロートスイッチ１７の正常・異常を、背面パネルを開けずにドア３側からの観察で判断することができる。
【００２９】
以上のように食器洗浄機１によれば、有益な点検が可能になり、フロートスイッチ１７の動作確認における利便性も高く、メンテナンス性の向上が図られる。なお、本発明は、食器洗浄機に限られず、医療用の器具洗浄機にも適用が可能である。
【００３０】
続いて、食器洗浄機１の洗浄処理の開始直後に行われる、外部給湯器から洗浄タンク９への給水について説明する。洗浄処理を所定温度の温水で行うために、洗浄タンク９内の水温は、洗浄タンクサーミスタ１１により計測され管理することができる。例えば、外部給湯器と食器洗浄機１とを繋ぐ配管には低温の水が溜まっていることが多く、給水開始の直後には、上記の低温の水が洗浄タンク９に供給されることになるので、その後、洗浄タンク９が満水になるまでに所望の水温が得られない場合もある。従って、洗浄タンクサーミスタ１１で水温を計測しながら、給水が所望の水温になるまで給排水を繰り返し、所望の水温の給水が行われるようになってから満水になるまで給水を行うようにしている。以下、このような制御を「呼び水処理」という。
【００３１】
しかしながら、前述のとおり、前回の洗浄処理の洗浄コースによっては、前回の洗浄処理で残った濯ぎ水をそのまま再利用する場合もある。この場合、洗浄タンク９が既に満水の状態から給水が開始されるので、無駄な呼び水制御が行われてしまう。そこで、この食器洗浄機１では、最初に洗浄タンク９が満水である場合には、呼び水処理を行わないこととしている。
【００３２】
図８を参照しながら、具体的に食器洗浄機１の呼び水処理に関する呼び水制御について説明する。まず、マイコン３７は、呼び水回数をゼロクリアし（Ｓ１０１）、その後、フロートスイッチ１７からの信号がＯＦＦである場合（洗浄タンク９が満水でない場合）にのみ（Ｓ１０３でＮｏ）、以降の処理を行う（Ｓ１０３）。
【００３３】
まず、呼び水給水タイマーをスタートさせ（Ｓ１０５）、上記タイマーが終了するまで温水ウォーターバルブ２７をＯＮとする（Ｓ１０７）。次に、マイコン３７は、洗浄タンクサーミスタ１１による計測水温を取得し、所望の温度と比較する（Ｓ１０９）。ここで、計測水温が所望の温度よりも大であれば（Ｓ１０９でＹｅｓ）、呼び水制御を終了する。一方、計測水温が所望の温度以下であれば（Ｓ１０９でＮｏ）、呼び水排水タイマーをスタートさせ（Ｓ１１１）、上記タイマーが終了するまで排水ポンプをＯＮとする（Ｓ１１３）。この時点で呼び水回数をカウントアップし、呼び水回数が２回未満であれば（Ｓ１１５でＹｅｓ）、処理Ｓ１０３からの処理を同様に繰り返す。また呼び水回数が２回以上であれば（Ｓ１１５でＮｏ）、呼び水制御を終了する。
【００３４】
その一方、処理Ｓ１０３において、フロートスイッチ１７からの信号がＯＮ（洗浄タンク９が満水）である場合には、前述した処理Ｓ１０５〜Ｓ１１５をすべてスキップし、呼び水制御を終了する。このような制御によれば、洗浄タンク９が既に満水であるときには、呼び水処理による無駄な給水を避けることができる。よって、外部給湯器の無駄な運転を省略でき、水の節約が図られ、また、洗浄処理の時間短縮も図られる。洗浄タンク９が既に満水であるケースとしては、前回の洗浄処理で濯ぎ水を再利用する洗浄コースが選択されていた場合などがある。
【符号の説明】
【００３５】
１…食器洗浄機（洗浄機）、３…ドア（扉）、４…ドアスイッチ（扉開閉検知手段）、９…洗浄タンク、１３…洗浄ポンプ、１７…フロートスイッチ（水位検知スイッチ）、２７…温水ウォーターバルブ、２９…冷水ウォーターバルブ、３７…マイコン（制御部）、４１…オペレーションボード（制御モード切替手段）、５０…洗浄処理部、Ｓ…洗浄室。
【図１】
0005491998.tif 000002
【図２】
0005491998.tif 000003
【図３】
0005491998.tif 000004
【図４】
0005491998.tif 000005
【図５】
0005491998.tif 000006
【図６】
0005491998.tif 000007
【図７】
0005491998.tif 000008
【図８】
0005491998.tif 000009